(57)【要約】【目的】  本発明は、椅子の背凭れに連結される椅子用ハンガーに関するものであり、不測の方向から力が加わっても、各部材がそれぞれ離脱してしまうことがなく、連結作業が能率よく行え、さらに、在庫管理も支障なくでき、又、部材点数を最小限にして安価に製作出来る椅子用ハンガーを提供する事を目的とする。【構成】  上部にハンガー本体が設けられた支持杆と、支持杆を上下動可能に支持する支持部を有して椅子の背凭れに連結される支持部材と、支持部材に係脱自在で支持部を隠蔽するカバー体よりなり、支持杆と支持部材とカバー体は、組み合わされた状態でそれぞれが離脱不能となり、全体として一つの部材として構成されるものである。【選択図】     図５
2007307148.tif 000002
【特許請求の範囲】
【請求項１】
上部にハンガー本体が設けられた支持杆と、支持杆を上下動可能に支持する支持部を有して椅子の背凭れに連結される支持部材と、支持部材に係脱自在で支持部を隠蔽するカバー体よりなり、支持杆と支持部材とカバー体は、組み合わされた状態でそれぞれが離脱不能となり、全体として一つの部材として構成される事を特徴とする椅子用ハンガー。
【請求項２】
背凭れに支持部材が連結される時、支持部材から取外されたカバー体は、支持杆が貫通して支持杆から離脱不能に構成されていることを特徴とする請求項１に記載の椅子用ハンガー。
【請求項３】
上部にハンガー本体が設けられた支持杆を上下動自在に支持する椅子用ハンガーにおいて、支持杆表面に弾性的に圧接して支持杆を所望の高さに維持する弾性圧接舌片が合成樹脂材にて椅子の背凭れに連結される支持部材と一体に形成されていることを特徴とする椅子用ハンガー。
【発明の詳細な説明】
【技術分野】
【０００１】
本発明は、椅子の背凭れに連結される椅子用ハンガーに関するものである。
【背景技術】
【０００２】
この種の椅子用ハンガーとしては、ハンガー本体と、このハンガー本体から下方に延出された左右一対支持杆を備えるハンガー部材を設けるとともに、背凭れの後面に、前記支持杆が上下摺動可能に嵌合する左右一対の上下方向を向く溝部を有する支持部材を設け、前記溝部の底部に、前記支持杆の前面側に複数形成された凹部に係合可能な係合凸部を設け、前記支持部材に、左右方向中央部が止着され、かつ前記両支持杆の後面側と前面側左右が当接して両支持杆を係合凸部側へと弾性付勢する板ばねを設けたものが提供されている。
そして、支持部材は本体部材と蓋部材から構成され、本体部材と蓋部材は係脱自在に構成され、蓋部材には支持部材を背凭れに連結するためのボルトの頭部が外部に露出するのを防ぐカバー部材が取付けられている。
【０００３】
この場合、支持部材を構成する本体部材と蓋部材は、係合部と被係合孔の係合によって一体化され、カバー部材と蓋部材に係合部と被係合部によって一体化された構成となっているので、椅子用ハンガーとして、運搬時に不測の方向から力が加わって本体部材から蓋部材が離脱して、蓋部材を紛失したり、あるいは、椅子用ハンガーの連結作業中に、椅子から取外したカバー部材の置き場所を失念することが多々あり、連結作業が能率よく行なわれなかったり、蓋部材等の紛失によって在庫管理が煩雑となったりしていた。
又、支持杆を支持する部材として板ばねが必要なため、部材点数が増えるだけでなく、板ばねを取付ける作業も必要で、全体として高価なものとなっていた。
【０００４】
【特許文献１】特開２００４−１５９７４５号公報
【発明の開示】
【発明が解決しようとする課題】
【０００５】
本発明は、従来の問題点に鑑みて、不測の方向から力が加わっても、各部材がそれぞれ離脱してしまうことがなく、連結作業が能率よく行え、さらに、在庫管理も支障なくでき、又、部材点数を最小限にして安価に製作出来る椅子用ハンガーを提供する事を課題とする。
【課題を解決するための手段】
【０００６】
そこで、上記課題を解決する為、本発明が第１の手段として構成したところは、上部にハンガー本体が設けられた支持杆と、支持杆を上下動可能に支持する支持部を有して椅子の背凭れに連結される支持部材と、支持部材に係脱自在で支持部を隠蔽するカバー体よりなり、支持杆と支持部材とカバー体は、組み合わされた状態でそれぞれが離脱不能となり、全体として一つの部材として構成されるものである。
【０００７】
次に本発明が第２の手段として構成したところは、前記構成に加え、背凭れに支持部材が連結される時、支持部材から取外されたカバー体は、支持杆が貫通して支持杆から離脱不能に構成されている
【０００８】
さらに本発明が第３の手段として構成したところは、上部にハンガー本体が設けられた支持杆を上下動自在に支持する椅子用ハンガーにおいて、支持杆表面に弾性的に圧接して支持杆を所望の高さに維持する弾性圧接舌片が合成樹脂材にて椅子の背凭れに連結される支持部材と一体に形成されているものである。
【発明の効果】
【０００９】
請求項１に記載の発明によると、支持杆と支持部材とカバー体は、組み合わされた状態でそれぞれが離脱不能となり、全体として一つの部材として構成されているので、運搬中等に部材の一つが欠落して、椅子に取付ける事ができなくなるとか、あるいは、外観を損なう等の問題もなく、取付け作業を能率よく行う事が出来る。
次に、請求孔２に記載の発明によると、前記効果に加え、カバー体に支持杆が貫通する事で、カバー体と支持杆は離脱不能に構成されているから、構造が簡単で、安価に製作出来、支持部材の連結時は、カバー体を支持杆に沿って上方にずらす事で容易に連結作業が行える。
次に、請求項３に記載の発明によると、支持杆表面に弾性的に圧接して支持杆を所望の高さに維持する弾性圧接舌片を合成樹脂材にて支持部材と一体に形成されているので、構成が簡単で、部材点数が削減でき、安価に製作出来る。
【発明を実施するための最良の形態】
【００１０】
本発明は、上部にハンガー本体が設けられた支持杆と、支持杆を上下動可能に支持する支持部を有して椅子の背凭れに連結される支持部材と、支持部材に係脱自在で支持部材を隠蔽するカバー体よりなり、支持杆と支持部材とカバー体は、組み合わされた状態でそれぞれが離脱不能となり、背凭れに支持部材が連結される時、支持部材から取外されたカバー体は、支持杆が貫通して支持杆から離脱不能で、支持杆表面に弾性的に圧接して支持杆を上下動自在に支持する支持部を構成する弾性圧接舌片は、合成樹脂材にて支持部材と一体に形成されているものである。
【実施例】
【００１１】
以下、添付図面の図１〜図７に基づいて実施例を詳述する。
図１において、符号１００は椅子１の背凭れ１１の背面に連結された本発明の椅子用ハンガーを示している。
本発明の椅子用ハンガー１００は、図２に示すように、ハンガー本体２と、ハンガー本体２の下方に突出して設けられた支持杆３と、椅子１の背凭れ１１と連結され、支持杆３を上下動可能に支持する支持部材５と、支持杆３が貫通し、支持部材５に係脱自在で、支持部材５に形成された支持部５０、５０等を隠蔽するカバー体６より構成されている。
【００１２】
ハンガー本体２は、背広等が掛けられる程度の長さに左右方向に延びる掛け部２１と、掛け部２１の中央部で下方に突出する支持杆連結部２２より合成樹脂材にて一体に成形されている。
【００１３】
支持杆３は、所定間隔を有する左右一対で上下方向の左右縦杆部３１、３１と、左右縦杆部３１、３１の下端部を左右方向に連結する連結杆部３２より、線材をＵ字形に折り曲げて一体に形成され、左右縦杆部３１、３１の上端部分前面側に連結用の螺孔（図示せず。）が形成され、下端部内面内側に表面を平坦にやや窪ませた上下方向の位置決め部３３、３３が形成されている。
そして、左右縦杆部３１、３１が、支持部材５、カバー体６を下方から貫通した状態で、ハンガー本体２の支持杆連結部２２の下面に形成された嵌合孔（図示せず。）に上端部分を嵌入し、さらに、支持杆連結部２２の前面側から連結ネジ２０、２０を前記左右縦杆部３１、３１の螺孔に螺合させることにより、ハンガー本体２と、支持部材５と、カバー体６と、支持杆３がそれぞれ離脱不能に組み合わされる。
【００１４】
支持部材５は、横長略平板状の基板５１と、基板５１の前端左右端部側で上方に突出して形成された左右連結板５２、５２と、左右連結板５２、５２の内側端部から左右連結板５２、５２とほぼ同じ高さで後方に突出し、後端部に略半円筒形の左右案内筒部５３、５３が形成された左右側壁５４、５４と、案内筒部５３、５３を繋ぐ後壁５５より合成樹脂材にて一体に形成されている。
そして、左右連結板５２、５２の略中央部には左右連結孔５２１、５２１が設けられ、左右側壁５４、５４の高さ方向の略中央部後端には左右案内筒部５３、５３の開口側に臨んで内方に突出する弾性圧接突片５３１、５３１が形成され、基板５１の左右案内筒部５３、５３の下端部が位置する箇所には、左右基板貫通孔５１１、５１１が形成され、基板５１の左右方向中央後端部には上方に突出してカバー体６と係合する係合突起５６が形成されている。
すなわち、支持杆３の左右縦杆部３１、３１は、左右案内筒部５３、５３、左右基板貫通孔５１１、５１１、弾性圧接突片５３１、５３１からなる支持部５０、５０で、上下動可能に支持部材５に支持され、椅子に連結された状態で、弾性圧接突片５３１、５３１の圧接力に抗して、引上げ、押し下げを行う事で、ハンガー本体２の高さ位置を調節することとなる。
そして、ハンガー本体２の引上げ時、支持杆３の位置決め部３３、３３が弾性圧接舌片５３１、５３１の位置に達した時の感触の変化によって、ハンガー本体２が一番高い位置になった事を認識する。
【００１５】
カバー体６は、前記支持部材５の基板５１側と左右連結板５２、５２側が開口し、左右連結板５２、５２、後壁５５の後方側を覆う後方カバー壁６１、左右側壁５４、５４の側方側を覆う左右側方カバー壁６２、６２、連結板５１、後壁５５、左右側壁５４、５４の上方側を覆い左右案内筒部５３、５３の上方位置に左右貫通孔６３１、６３１が形成された上方カバー壁６３より合成樹脂材にて一体に形成されている。
そして、内面側端面に支持部材５の基板５１の後端側端面が当接すると共に、前記係合突起５６が係合する係合突板６１１が、後方カバー壁６１の下端部に前方に突出して形成されている。符号６１２は、支持部材５にカバー体６が取付けられた時、基板５１の後端部の上面に当接して、係合突起５６と係合突板６１１の係合状態を維持する後部支持突片を示し、符号６２１、６２１は、支持部材５にカバー体６が取付けられた時、基板５１の左右端部の上面に当接する左右側部支持突片を示している。
【００１６】
本発明は、以上のように構成され、支持部材５の上方にカバー体６を被せるようにして、基板５１の左右端部の上面に左右側部支持突片６２１、６２１を、基板５１の後端部の上面に後部支持突片６１２を当接させ、同時に係合突起５６が係合する係合突板６１１に係合し、カバー体６と支持部材５は一体化された状態となる。
次に、左右縦杆部３１、３１の上端を、支持部材５の左右基板貫通孔５１１、５１１から左右案内筒部５３、５３内を挿通させ、弾性圧接舌片５３１、５３１を外側に弾性変移させた状態（弾性圧接舌片５３１、５３１が、左右縦杆部３１、３１の表面に圧接した状態）でカバー体６の左右貫通孔６３１、６３１に挿通させ、次に、ハンガー本体２の支持杆連結部２２の下面に形成された嵌合孔（図示せず。）に上端部分を嵌入し、さらに、支持杆連結部２２の前面側から連結ネジ２０、２０を左右縦杆部３１、３１の螺孔に螺合させることにより、ハンガー本体２と支持杆３を連結する。
この状態で、支持部材５と、カバー体６と、支持杆３がそれぞれ離脱不能に組み合わされ本発明の椅子用ハンガー１００が構成される。
【００１７】
本発明の椅子用ハンガー１００を取付ける場合は、カバー体６の係合突板６１１の左右方向中央部（支持部材５の係合突起５６が係合している箇所）の下面を外側に広げるように力を加え、係合突起５６と係合突板６１１の係合状態を解除し、カバー体６を左右縦杆部３１、３１に沿って上方に持ち上げて、支持部材５の背面側を露出した状態で、背凭れ１１の背面側の所定位置（椅子用ハンガー１００の連結用の螺孔が形成された箇所）に左右連結板５２、５２の左右連結孔５２１、５２１を一致させ、背面側から連結ネジ５００を螺合させ支持部材５と背凭れ１１を連結する。
次に、カバー体６を支持部材５の上方から被せて（係合突起５６と係合突板６１１を係合し）連結ネジ５００、５００、支持部５０、５０を隠蔽する。
尚、背凭れ１１の背面に支持部材５が連結された状態で、基板５１と、左右側壁５４、５４と、後壁５５と、背凭れ１１の背面によって、カバー体６が蓋の機能をはたす上端が開口するポケットが形成されるので、背凭れ１１に形成された前記螺孔の閉塞用キャップ、あるいは取扱説明書等の保管場所としてこの部分を利用する事ができる。  
【図面の簡単な説明】
【００１８】
【図１】本発明を椅子に取付けた時の側面図
【図２】本発明の斜視図
【図３】カバー体の斜視図
【図４】支持部材の斜視図
【図５】本発明の要部拡大斜視図
【図６】本発明の要部横断面図
【図７】本発明の要部縦断面図
【符号の説明】
【００１９】
１        椅子
１１      背凭れ
１００    椅子用ハンガー
２        ハンガー本体
２０      連結ネジ
２２      支持杆連結部
３        支持杆
５        支持部材
５０      支持部
５３      案内筒部
５３１    弾性圧接舌片
６        カバー体
【図１】
2007307148.tif 000003
【図２】
2007307148.tif 000004
【図３】
2007307148.tif 000005
【図４】
2007307148.tif 000006
【図５】
2007307148.tif 000007
【図６】
2007307148.tif 000008
【図７】
2007307148.tif 000009